(57)【要約】【課題】無駄な電力を消費しない省エネ性を向上させた貯湯式給湯機を提供すること。【解決手段】湯水を貯える貯湯タンク１と、機器の運転状態や設定条件を表示する表示部１０を有するリモコン装置８とを備え、前記リモコン装置８は、表示内容を変更する制御部１１、人の在室を検出する在室判定手段である照度センサー９を有し、人の在室及び不在を照度センサー９で検出する照度により判別するとともに、判断条件を変更できる在室判定条件設定手段１２と在室判定手段９の有効または無効のいずれかを選択できる選択手段１３とを有し、時間や場所に左右されずに無駄な電力の消費をせず表示の入り切りを可能とする。【選択図】図１
2012057909.tif 000002
【特許請求の範囲】
【請求項１】
湯水を貯える貯湯タンクと、前記貯湯タンク内の湯水を加熱する加熱手段と、機器の運転状態を表示する表示部を有するリモコン装置とを備え、前記リモコン装置は、前記表示部の表示内容を変更する制御部と人の在室を検出する在室判定手段とを有し、前記在室判定手段が人の在室を検出した場合には、前記制御部は前記表示部に表示を行い、不在を検出した場合には、前記制御部は前記表示部に表示を行わないことを特徴とする貯湯式給湯機。
【請求項２】
前記在室判定手段を照度を検知する照度センサーとし、人の在室及び不在を、前記照度センサーで検出する照度により判別することを特徴とする請求項１に記載の貯湯式給湯機。
【請求項３】
人の在室または不在を判別する判断条件を変更する在室判定条件設定手段を有する請求項１または２に記載の貯湯式給湯機。
【請求項４】
前記在室判定手段の有効または無効のいずれかを選択できる選択手段を有する請求項１〜３のいずれか１項に記載の貯湯式給湯機。
【発明の詳細な説明】
【技術分野】
【０００１】
本発明は、貯湯式給湯機に関連し、特に、表示部に関するものである。
【背景技術】
【０００２】
従来、この種の貯湯式給湯機では、出湯を検知してから所定時間経過後に、継続して出湯する場合に限り、リモコン装置の表示部を表示させるものであった（例えば、特許文献１参照）。
【先行技術文献】
【特許文献】
【０００３】
【特許文献１】特開２０１０−６０１９２号公報
【発明の概要】
【発明が解決しようとする課題】
【０００４】
しかしながら、前記従来の構成では使用者の安全を考慮し、継続した出湯状態では人が不在の場合にも表示部を常時点灯していた。この構成であると、夜間に風呂で継続した出湯状態が続いた場合、台所等に設置された前記リモコン装置は人が表示を見ていないにも関わらず表示部を表示してしまい、無駄な電力を消費するという課題を有していた。これは夜間に限ってのことではない。
【０００５】
本発明は、前記従来の課題を解決するもので、無駄な電力を消費しないことで、省エネ性を向上させた貯湯式給湯機を提供することを目的とする。
【課題を解決するための手段】
【０００６】
前記従来の課題を解決するために、本発明の貯湯式給湯機は、湯水を貯える貯湯タンクと、前記貯湯タンク内の湯水を加熱する加熱手段と、機器の運転状態を表示する表示部を有するリモコン装置とを備え、前記リモコン装置は、前記表示部の表示内容を変更する制御部と人の在室を検出する在室判定手段とを有し、前記在室判定手段が人の在室を検出した場合には、前記制御部は前記表示部に表示を行い、不在を検出した場合には、前記制御部は前記表示部に表示を行わないことを特徴とするものである。
【０００７】
これによって、継続した出湯状態においても人が不在であれば表示を行わないため、無駄な電力を消費しない省エネ性を実現した貯湯式給湯機を提供できる。
【発明の効果】
【０００８】
本発明によれば、人の在室を検出し、それに基づいて表示部を制御することで、無駄な電力を消費しない省エネ性を実現した貯湯式給湯機を提供できる。
【図面の簡単な説明】
【０００９】
【図１】（ａ）本発明の実施の形態１における貯湯式給湯機の概略図（ｂ）同リモコン装置の構成図
【図２】同リモコン装置の外観図
【図３】同リモコン装置の表示動作のフローチャート
【発明を実施するための形態】
【００１０】
第１の発明は、湯水を貯える貯湯タンクと、前記貯湯タンク内の湯水を加熱する加熱手段と、機器の運転状態を表示する表示部を有するリモコン装置とを備え、前記リモコン装
置は、前記表示部の表示内容を変更する制御部と人の在室を検出する在室判定手段とを有し、前記在室判定手段が人の在室を検出した場合には、前記制御部は前記表示部に表示を行い、不在を検出した場合には、前記制御部は前記表示部に表示を行わないことを特徴とする貯湯式給湯機で、継続した出湯状態においても人が不在であれば表示部は表示しないため、無駄な電力を消費しない貯湯式給湯機を提供できる。
【００１１】
第２の発明は、特に第１の発明において、前記在室判定手段を照度を検知する照度センサーとし、人の在室及び不在を、前記照度センサーで検出する照度により判別することを特徴とするものである。
【００１２】
例えば、夜間に人が前記リモコン装置を設置している場所に来れば通常は照明をつける。このことで前記照度センサーが照度から人の在室を検出し、前記表示部の表示を行う。その後、前記リモコン装置を設置している場所から去る場合は照明を消す。このことで前記照度センサーが照度から人の不在を検出し、前記表示部の表示を消す。また、これは夜間に限ってのことではない。このような構成にすることで、赤外線センサー等よりも安価で高い精度を求める必要もなく、誤検知も防ぐことができ、設計が容易である。
【００１３】
第３の発明は、特に第１または第２のいずれかの発明において、人の在室または不在を判別する判断条件を変更する在室判定条件設定手段を有するもので、前記在室判定手段を照度センサーとした場合、家の間取り、部屋の構造、照明の照度、前記リモコン装置を設置する場所、時間による日光の照度によっては、照度センサーが検知する照度が異なるため、使用者によって判定条件を設定できる手段を設けることで、様々な環境に対応でき使い勝手の良い貯湯式給湯機を提供できる。
【００１４】
第４の発明は、特に第１〜第３のいずれかの発明において、前記在室判定手段の有効または無効のいずれかを選択できる選択手段を有するもので、前記在室判定手段が必要ないという場合にも対応でき、ユーザーにとって使い勝手の良い貯湯式給湯機を提供できる。
【００１５】
以下、本発明の実施の形態について、図面を参照しながら説明する。なお、この実施の形態によって本発明が限定されるものではない。
【００１６】
（実施の形態１）
図１の（ａ）は、本発明の第１の実施の形態における貯湯式給湯装置を示す概略図である。なお、本実施の形態では加熱手段としてヒートポンプを用いて説明するが、ヒートポンプに限定されることはなく、ヒートポンプに代えて電気ヒーターを用いて水を加熱する構成であっても問題は無い。図１の（ｂ）は、本発明の第１の実施の形態における貯湯式給湯機のリモコン装置の構成図である。
【００１７】
図１（ａ）（ｂ）において、湯水を貯える貯湯タンク１と前記貯湯タンク１の水を加熱する加熱手段２と、浴槽３と、前記貯湯タンク１の湯と前記浴槽３の湯を熱交換して風呂の追い焚きを行う加熱手段としての熱交換器４と、第１の循環ポンプ５と、第２の循環ポンプ６と浴槽水温度を測定するサーミスタ７と、機器の運転状態を表示する表示部１０を有するリモコン装置８を備え、前記リモコン装置８は、前記表示部１０の表示内容を変更する制御部１１、人の在室を検出する在室判定手段である照度センサー９、人の在室または不在を判別する判断条件を変更できる在室判定条件設定手段１２、前記照度センサー９の有効または無効のいずれかを選択できる選択手段１３とから構成されている。
【００１８】
図２は、前記リモコン装置８の外観を示し、照度センサー９が設けられている。以上のように構成された貯湯式給湯機について、以下その動作、作用を説明する。
【００１９】
基本的な機能としては、加熱手段２により加熱された湯が貯湯タンク１に貯えられており、この湯を給湯および浴槽水の加熱に利用する。浴槽水の加熱は、貯湯タンク１に貯えられた高温の湯を第１の循環ポンプ５を用いて熱交換器４の１次側流路に供給するとともに、第２の循環ポンプ６により、浴槽水を熱交換器４の２次側流路に循環させることによってなされる。
【００２０】
ここで、前記リモコン装置８の表示動作を説明する。前記表示部１０が表示していない状態から、前記照度センサー９が照度を検出し、前記在室判定条件設定手段１２で設定した値を超える照度が検出された場合は、前記制御部１１に情報が伝えられ、前記表示部１０が表示される。前記在室判定条件設定手段１２で設定した値を超えない照度が検出された場合は、前記制御部１１に情報が伝えられ、前記表示部１０は表示されない。
【００２１】
また、前記照度センサー９の有効または無効を選択する選択手段１３において、前記照度センサー９が必要ないとして無効状態にすると、使用者が前記リモコン装置８を操作しない限り前記表示部１０は表示されない。
【００２２】
図３は、前記リモコン装置８の表示動作のフローチャートである。前記表示部１０が表示していない状態から、リモコン操作有り無し（ステップ１）、操作有りの場合は前記表示部１０を点灯させる。無しの場合は在室判定手段９有り無し（ステップ２）、無しの場合は前記表示部１０を表示させない。有りの場合は検知される照度が在室判断条件設定レベルより大きいか？（ステップ３）、小さい場合は前記表示部１０を表示させない。大きい場合は前記表示部１０を表示させる。
【産業上の利用可能性】
【００２３】
以上のように、本発明にかかる貯湯式給湯機は、高い省エネ性と利便性を両立する制御方式を実現できるので、前記したような家庭用の貯湯式給湯機に適用できるほか、業務用などの規模の大きい用途にも適用し、設備の管理者等に対して高い利便性を提供できる。
【符号の説明】
【００２４】
１  貯湯タンク
２  加熱手段
８  リモコン装置
９  在室判定手段
１０  表示部
１１  制御部
１２  在室判定条件設定手段
１３  選択手段
【図１】
2012057909.tif 000003
【図２】
2012057909.tif 000004
【図３】
2012057909.tif 000005